(57)【要約】  本発明は、ポリマー被覆包装板紙などの繊維ベース材料で製作され、容器に入れられた製品２を含むカップ１及びカップの開口部を閉じる蓋６を備えるカップ容器に関する。本発明によれば、カップ１は、その開口部から下方に曲げられカップのスカート３から分かれるつば５を有し、蓋６は、つばからそれに応じて下方に向けられた縁部８を有する。蓋は、前記つばと縁部部品との間の熱融着により所定の位置に固定される。容器の開封用に、蓋６は、その縁部８を囲繞する開封帯１１を備えることができる。さらに、蓋６は、カップ１と入れ子式にされることができそれによってそれらの対向する表面の間の圧縮及び摩擦により蓋が再び閉じられた容器の所定の位置に保持されることができる。
2007530372.tif 000002
【特許請求の範囲】
【請求項１】
繊維ベース材料で製作され、容器に入れられた製品（２）を含むカップ（１）及び前記カップの開口部を閉じる蓋（６）を備えるカップ容器であって、前記カップ（１）が、その開口部（４）から下方に曲げられ前記カップのスカート（３）から分かれるつば（５）を備え、前記蓋（６）が、熱融着によって前記つばにそこで固定される下方に向けられた縁部（８）を有することを特徴とする、容器。
【請求項２】
前記カップ（１）の前記スカート（３）が、円錐状に上方に広がっていることを特徴とする、請求項１に記載の容器。
【請求項３】
前記カップのつば（５）及び前記蓋の縁部（８）が、円錐状に下方に広がっていることを特徴とする、請求項１又は２に記載の容器。
【請求項４】
前記カップ（１）が、ポリマー被覆板紙（１５）から製作され、少なくとも前記カップのスカート（３）の内面及び前記つば（５）の外面がポリマー被覆されることを特徴とする、前記請求項のいずれかに記載の容器。
【請求項５】
前記蓋（６）が、ポリマー被覆板紙（１５）からなり、少なくとも前記蓋の内面がポリマー被覆されることを特徴とする、前記請求項のいずれかに記載の容器。
【請求項６】
前記板紙（１５）のポリマー被覆が、内側酸素バリア層（１６）及び外側熱融着層（１７）を備えることを特徴とする、請求項４及び５に記載の容器。
【請求項７】
前記蓋（６）が、その中央に円錐面（１３）によって画成され前記カップ（１）と入れ子式にされるくぼみ（１４）を備え、それによって前記カップのスカート（３）と前記蓋のくぼみの対向する円錐面との間の摩擦及び／又は圧縮により前記蓋が再び閉じられた容器の所定の位置に保持されることを特徴とする、前記請求項のいずれかに記載の容器。
【請求項８】
くぼみ（１４）が、前記容器が積み重ねられるとき上に前記容器の底部を受容するように前記蓋（６）の中央に形成されることを特徴とする、前記請求項のいずれかに記載の容器。
【請求項９】
前記蓋を囲繞する環状の開封帯（１１、１９）が、前記容器の開封用に、前記蓋（６）の前記縁部（８）の領域内に設けられることを特徴とする、前記請求項のいずれかに記載の容器。
【請求項１０】
前記開封帯が、２本の整列したミシン目線によって画成され引き剥がされるとき外される環状ストライプ（１１）であることを特徴とする、請求項９に記載の容器。
【請求項１１】
前記開封帯が、前記ミシン目線（１０）と前記蓋の縁部との間に画成される環状ストライプ（１１’）であり、前記蓋（６）が、前記カップの前記つば（５）内の前記ストライプ領域に剥がれるようにシールされ、引き剥がされるとき外れることを特徴とする、請求項９に記載の容器。
【請求項１２】
前記ミシン目線（１０）内のミシン目が、前記蓋（６）の前記板紙層（１５）を貫通しそのすぐ下にあるポリマー被覆（１６、１７）をそのままに残すことを特徴とする、請求項１０又は１１に記載の容器。
【請求項１３】
前記容器が、飲料、デザート又は菓子などの食料品用のポーション・パックであることを特徴とする、前記請求項のいずれかに記載の容器。
【発明の詳細な説明】
【技術分野】
【０００１】
本発明は、容器に入れられた製品を含むカップ及びカップの開口部を閉じる蓋を備える、繊維ベース材料（ｆｉｂｒｅ−ｂａｓｅｄ  ｍａｔｅｒｉａｌ）で製作されるカップ容器に関する。
【背景技術】
【０００２】
熱融着された開封タブ付き蓋（ｈｅａｔ−ｓｅａｌｅｄ  ｔｅａｒ  ｔａｂ  ｌｉｄ）を備えるカップは、特に液体又は湿り気のある食料品のポーション・パック（ｐｏｒｔｉｏｎ  ｐａｃｋａｇｅ）としてよく使用される。容器に入れられる典型的な製品としては、ミルク、ヨーグルト、ジュース、水及びデザートが挙げられる。従来、そうしたカップはポリプロピレン又はポリスチレンなどのプラスチック製であり、一方、開封タブ付き蓋はアルミニウム製である。しかし、より環境に配慮した材料であるポリマー被覆板紙が、カップ及び蓋の材料として使用されることが多くなっている。
【０００３】
カップ容器のカップは、一般に、製品が入れられ蓋で閉じられる前は積み重ねられるように、円錐形をしている。カップ開口部を閉じる蓋は、平らであり、カップ開口部から横方向に突き出る縁部のタブに熱融着される。蓋は、その取り外しを容易にするために、その側部から突き出るフラップを備えることができる。
【０００４】
上記で述べた従来技術のカップ容器において、蓋が熱融着されるカップの縁部のタブは、熱融着工具のための狭い支持面しかもたらさない。したがって、カップの開口部まわりの熱融着部は狭くなる。カップの開口部近くまで満たされたカップ容器において、熱融着工具は、容器に入れられた製品近くに達しそれによって熱に弱い製品が悪影響を受けることもある。
【発明の開示】
【発明が解決しようとする課題】
【０００５】
本発明の主な目的は、包装板紙（ｐａｃｋａｇｉｎｇ  ｂｏａｒｄ）など繊維ベース材料で製作されるカップ容器に変更を加えて、容器に入れられる製品を悪くすることなく蓋をカップの開口部に確実に熱融着することができるようにすることである。この問題を解決する本発明の容器は、カップが開口部から下方に曲げられカップのスカートから分かれるつばを備え、蓋が下方に向けられた縁部を有し、その縁部のところで蓋が熱融着によってつばに取り付けられることを特徴とする。
【課題を解決するための手段】
【０００６】
本発明の容器において、カップのつばは、カップに適合するように設計される蓋のための熱融着支持部として働く。この支持部は、既知のカップの縁部のタブよりも幅が広い。つばを囲繞する熱融着部の幅がより広くされ、つばの下側面が熱融着工具の反対部のための支持面をもたらし、したがってつば及び蓋の縁部が互いに押し付けられることによるシームの生成が可能になり、さらにカップに入っている製品から工具の熱せられる部分までの距離が長くされる。
【０００７】
つばを備える板紙製カップは、それ自体がＷＯ０３／０６８６１３によって開示されている。そこには、温冷飲料用の、つばを有する使い捨て板紙製カップが記載されている。しかし、互いに積み重ねられて販売されるそうした使い捨てカップは、蓋がなく、カップが閉じられることに関する言及はなされていない。
【０００８】
本発明の容器において、カップのスカートは、円錐状に上方に広がり、カップのつばは円錐状に下方に向かって次第に細くされてよい。スカート及びつばは、基本的な形が円形の扇形の一部であるシート様ブランクに折り目を付け曲げることによって形成することができる。スカート及びつばが同じテーパ角度を有するそうしたカップの製造は、上記で述べたＷＯ０３／０６８６１３によって開示されている。したがって、その開示を本明細書に組み込む。カップにシールされる蓋の縁部もまた、カップのつばにしっかり取り付けられるように円錐形にされる。
【０００９】
カップ及び蓋に使用される材料は、撥水性又は水蒸気密（ｗａｔｅｒ  ｖａｐｏｕｒ  ｔｉｇｈｔ）であるポリマー被覆層を備える包装板紙からなってよい。ポリマー被覆は、板紙の片面又は両面に設けられてよい。つばの上面上及び蓋の縁部の下面上のポリマー被覆層は、容器の熱融着手段として働くことができる。カップ及び蓋の内面が少なくとも１層の内側酸素バリア層及びそれを被覆する熱融着層を備える多層の被覆層を備える場合、容器は、耐湿性になり且つ耐酸素性になる。
【００１０】
本発明の好ましい一実施例において、容器の蓋は、円錐形面によって画成されカップと入れ子式にされるくぼみを備え、したがってカップのスカートと蓋のくぼみの対向する円錐形面との間の摩擦及び／又は圧縮により蓋が閉じられた容器において所定の位置に保持される。この解決法により開けた容器を再び閉じることが可能になり、したがって容器の中身を一度に消費する必要がなくなる。
【００１１】
容器を積み重ねるとき上に配置される容器の底面を受容する目的で、容器の蓋にくぼみを形成することも可能である。そうしたくぼみにより、場所が節約され積み重ねの安定性が増大される。
【００１２】
本発明の容器は、蓋の縁部の領域に設けられる環状の開封帯の手段によって開けられることができる。開封帯は、２本の整列したミシン目線によって画成され引っ張ることによって取り外されることができる、環状のストライプである。
【００１３】
開封帯は、ミシン目の列と蓋の縁部との間のストライプでもよく、その場合熱融着部が開封帯の領域内に配置され、帯が取り外されるとき剥がされる可剥性シールであることが必要である。開封帯がシーリング線の内側に配置されるとき、可剥性シールは必要ない。
【００１４】
開封帯を画成するミシン目線のミシン目は、蓋の板紙層を貫通するがそのすぐ下にあるポリマー被覆はそのままに残すように形成されることができる。このやり方では、ミシン目は、容器のポリマー被覆及び熱融着部により実現される水蒸気及び／又は酸素バリアを壊さない。容器が開けられるとき、開封帯を形成するストライプは、いずれにしても、ポリマー被覆とともに取り外される。言い換えれば、カップのつばからの帯及び隣接の蓋の取り外しを妨げることなく、被覆が帯の両縁に沿って破れる。
【００１５】
添付の図面を参照して、本発明を以下により詳細に説明する。
【実施例】
【００１６】
図１のカップ容器は、ポリマー被覆包装板紙から製造される蓋付きの飲食物ポーション・パックである。飲食物は、このタイプの容器で一度に消費するのに向いている例えば飲料、デザート又はスナックであってよい。
【００１７】
図１の容器は、容器に入れられた製品２を含むカップ１を備える。カップのスカート３は、円錐状に上方に広がる形をしている。スカート３は、カップの開口部４で曲げられて円錐状に下方に広がるつば５を形成する。カップ１は、ＷＯ０３／０６８６１３に記載の技術で製造されることができる。カップのスカート３及びつば５のテーパ角度は同一である。
【００１８】
カップ容器は、蓋をされるカップの他に、主に円盤状中央部７及び円錐状に下方に広がりつば５に載る周囲縁部８からなる蓋６を備える。中央部７は、蓋６内の浅いくぼみ１４内に配置される。そのくぼみは、容器が積み重ねられるとき上に置かれる容器の底部を受容する。蓋６は、板紙製コップのスカートと底部をシールするのに使用されるそれ自体が既知である技術で、中央部７と縁部８を結合することによって製造される。カップのつば５及び蓋の縁部８は、カップを囲繞し板紙のポリマー被覆を形成する熱融着部９で結合される。容器の開封のため、２本の整列したミシン目線１０によって画成される開封帯１１が蓋の縁部８に沿って形成される。帯の端部には、突出フラップ１２がある。
【００１９】
図２に示されるカップ容器は、主に蓋６の設計に関して図１のものとは異なる。蓋６は、つばに対してしっかり取り付けられる円錐形の縁部８及びスカートと入れ子式にされる円錐形部分１３を備えるように、カップのスカート３の上部及びつば５に適合するように設計される。この円錐形部分は蓋内に形成されるくぼみ１４内に位置する中心部７で終端する。スカート３及び前記円錐形部分１３は、開封帯１１が取り除かれた後でも、それら相互の圧縮又は摩擦により蓋６がカップ１の開口部の所定の位置に保持されるように寸法設定される。しかし、蓋６は、引っ張ることによってカップ１から取り外し、製品２を消費した後、カップを閉じるようにカップの開口部に押し付けて戻すことができる。こうした再び閉じることができる容器は、必ずしも一度に全部を消費するわけではないスナック製品及び菓子に特に適している。図１と同じやり方で、蓋内のくぼみ１４は、容器が積み重ねられるとき、上に置かれる容器の底部を受容することができる。
【００２０】
図３、４には、本発明の容器に使用されるポリマー被覆包装板紙の重層構造、容器部品を接合する熱融着部、及び容器を開ける開封帯の動作がより詳しく示されている。容器に含まれるカップ及びそのつば、並びに蓋、その中心部及び縁部は、例えばエチルビニルアルコール共重合体（ＥＶＯＨ）又はポリアミド（ＰＡ）製である内側酸素風味バリア層１６、及び例えば低密度ポリエチレン（ＬＤＰＥ）製である外側熱融着層１７で押出被覆されるカップ板紙（ｃｕｐ  ｂｏａｒｄ）１５からなる。カップのつば５及び蓋の縁部８において、板紙のポリマー被覆は、図３に示されるように互いに支承しており、熱融着９内において、対向する熱融着層１７は、容器を囲繞する環状の密封線を形成するように互いにシールされる。
【００２１】
図３には、ミシン目１０によって画成される開封帯１１が、蓋の縁部８の熱融着線９の内側に形成されることが示されている。ミシン目１０は、縁部８の板紙層１５を貫通するが、板紙の被覆層１６、１７までは延びない。開封帯１１の端部を形成する突出フラップ１２は、縁部の側面にある継目（図示せず）のところに配置されてよく、縁部に使用されるブランクの適当な設計によって実現されることができる。容器は、フラップ１２で開封帯１１を引っ張ることによって開けられ、それによって、開封帯したがって蓋縁部の開封帯外側にあるストライプ１８以外の蓋が取り外される。ストライプは、そこにおいて蓋がカップのつば５にシールされ図４に示されるように蓋が開けられるとき所定の位置に残る。
【００２２】
図５に示される本発明の実施例において、開封帯１９は、別個のバンドからなる。バンドは、例えば金属又は硬いプラスチック製であり、カップのつば５を形成する材料層と蓋の縁部８を形成する材料層との間に埋め込まれる。取り外しを容易にするように、縁部８の板紙層１５はバンド１９の両側にミシン目線１０を備える。容器が開けられるとき、開封帯１９が、ミシン目１０によって画成されるストライプ１１を破き、それによって蓋の縁部８が剥がされ、上記で述べたように最外ストライプ１８を除いて蓋が取り外される。開封動作は、図４に示される結果になる。
【００２３】
図６、７には、カップと蓋の間の熱融着、及び帯が取り外されるとき外されるシールすなわち可剥性シールに基づく開封帯の実施例が示されている。蓋を形成する板紙１５は、上記で述べたものと同様であってよいバリア層１６、及び可剥性シール・タイプのポリマー材料がそれについて選択される熱融着層１７で被覆される。カップに使用される板紙１５は、同様に、つば５においてシーリング反対面として働くポリマー・バリア層２０で被覆される。バリア層２０は、例えばポリエチレンテレフタレート（ＰＥＴ）製であってよく、蓋の熱融着層１７は、例えばエチレンメチルアクリル酸共重合体（ＥＭＡ）、エチル酢酸ビニル共重合体（ＥＶＡ）及びポリアミド・ワックスの混合物を含むＷＯ０３／０３３２５８に記載のポリマー組成物製であってよく、ＰＥＴ層に剥がれるようにシールされることができる。しかし、カップ及び蓋の被覆１７、２０は、剥がれるように同様のやり方で互いにシールされる他のポリマー材料からなってもよい。開封帯１１は、ミシン目線１０によって画成され、熱融着部９全体が開封帯の領域内に配置されるように蓋の縁部に配置される。容器は、フラップ１２を把持し、つば５の材料からシール線９に沿って剥がされることによって取れる開封帯１１を引っ張ることにより開けられる。開封帯１１が取り外されると、蓋は、カップから完全に取り外される。言い換えれば、図７に見られるように、カップのつば５のところに蓋の部品は残らない。
【００２４】
本発明の実施例は、上記の実施例に限定されず、添付の特許請求の範囲内で変更することができることが当業者には明らかであろう。
【図面の簡単な説明】
【００２５】
【図１】本発明の蓋付きカップ容器の部分断面図である。
【図２】本発明の他の蓋付きカップ容器の部分断面図である。
【図３】図１、２の容器におけるカップのスカートと蓋の縁部との間の熱融着部及び開封帯の断面図である。
【図４】図３に対応する、容器が開けられた後のシール箇所の図である。
【図５】図３に対応する、開封帯の任意選択の一実施例の図である。
【図６】図３に対応する、開封帯が熱融着部に配置されている一実施例の図である。
【図７】図６に対応する、容器が開けられた後のシール箇所の図である。
【図１】
2007530372.tif 000003
【図２】
2007530372.tif 000004
【図３】
2007530372.tif 000005
【図４】
2007530372.tif 000006
【図５】
2007530372.tif 000007
【図６】
2007530372.tif 000008
【図７】
2007530372.tif 000009
【手続補正書】
【提出日】平成18年1月18日(2006.1.18)
【手続補正１】
【補正対象書類名】特許請求の範囲
【補正対象項目名】全文
【補正方法】変更
【補正の内容】
【特許請求の範囲】
【請求項１】
繊維ベース材料で製作され、容器に入れられた製品（２）を含むカップ（１）及び前記カップの開口部を閉じる蓋（６）を備えるカップ容器であって、前記カップ及び前記蓋は、前記カップ（１）が、前記カップの開口部（４）において下方に曲げられて覆いから分かれるつば（５）を形成する覆い（３）を備え、前記蓋（６）が、熱融着によって前記蓋が前記つばにそこで固定される下方に向けられた縁部（８）を有することを特徴とする、容器。
【請求項２】
前記カップ（１）の前記覆い（３）が、円錐状に上方に広がっていることを特徴とする、請求項１に記載の容器。
【請求項３】
前記カップのつば（５）及び前記蓋の縁部（８）が、円錐状に下方に広がっていることを特徴とする、請求項１又は２に記載の容器。
【請求項４】
前記カップ（１）が、ポリマー被覆板紙（１５）から製作され、少なくとも前記カップの覆い（３）の内面及び前記つば（５）の外面がポリマー被覆されることを特徴とする、前記請求項のいずれかに記載の容器。
【請求項５】
前記蓋（６）が、ポリマー被覆板紙（１５）からなり、少なくとも前記蓋の内面がポリマー被覆されることを特徴とする、前記請求項のいずれかに記載の容器。
【請求項６】
前記板紙（１５）のポリマー被覆が、内側酸素バリア層（１６）及び外側熱融着層（１７）を備えることを特徴とする、請求項４及び５に記載の容器。
【請求項７】
前記蓋（６）が、その中央に円錐面（１３）によって画成され前記カップ（１）と入れ子式にされるくぼみ（１４）を備え、それによって前記カップの覆い（３）と前記蓋のくぼみの対向する円錐面との間の摩擦及び／又は圧縮により前記蓋が再び閉じられた容器の所定の位置に保持されることを特徴とする、前記請求項のいずれかに記載の容器。
【請求項８】
くぼみ（１４）が、前記容器が積み重ねられるとき上に前記容器の底部を受容するように前記蓋（６）の中央に形成されることを特徴とする、前記請求項のいずれかに記載の容器。
【手続補正書】
【提出日】平成19年3月26日(2007.3.26)
【手続補正１】
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
繊維ベース材料で製作され、容器に入れられた製品（２）を含むカップ（１）及び前記カップの開口部を閉じる蓋（６）を備えるカップ容器であって、前記カップ及び前記蓋は、前記カップ（１）が、前記カップの開口部（４）において下方に曲げられて覆いから分かれるつば（５）を形成する覆い（３）を備え、前記蓋（６）が、熱融着によって前記蓋が前記つばにそこで固定される下方に向けられた縁部（８）を有することを特徴とする、容器。
【請求項２】
前記カップ（１）の前記覆い（３）が、円錐状に上方に広がっていることを特徴とする、請求項１に記載の容器。
【請求項３】
前記カップのつば（５）及び前記蓋の縁部（８）が、円錐状に下方に広がっていることを特徴とする、請求項１又は２に記載の容器。
【請求項４】
前記カップ（１）が、ポリマー被覆板紙（１５）から製作され、少なくとも前記カップの覆い（３）の内面及び前記つば（５）の外面がポリマー被覆されることを特徴とする、前記請求項のいずれかに記載の容器。
【請求項５】
前記蓋（６）が、ポリマー被覆板紙（１５）からなり、少なくとも前記蓋の内面がポリマー被覆されることを特徴とする、前記請求項のいずれかに記載の容器。
【請求項６】
前記板紙（１５）のポリマー被覆が、内側酸素バリア層（１６）及び外側熱融着層（１７）を備えることを特徴とする、請求項４及び５に記載の容器。
【請求項７】
前記蓋（６）が、その中央に円錐面（１３）によって画成され前記カップ（１）と入れ子式にされるくぼみ（１４）を備え、それによって前記カップの覆い（３）と前記蓋のくぼみの対向する円錐面との間の摩擦及び／又は圧縮により前記蓋が再び閉じられた容器の所定の位置に保持されることを特徴とする、前記請求項のいずれかに記載の容器。
【請求項８】
くぼみ（１４）が、前記容器が積み重ねられるとき上に前記容器の底部を受容するように前記蓋（６）の中央に形成されることを特徴とする、前記請求項のいずれかに記載の容器。
【請求項９】
前記蓋を囲繞する環状の開封帯（１１、１９）が、前記容器の開封用に、前記蓋（６）の前記縁部（８）の領域内に設けられることを特徴とする、前記請求項のいずれかに記載の容器。
【請求項１０】
前記開封帯が、２本の整列したミシン目線によって画成され引き剥がされるとき外される環状ストライプ（１１）であることを特徴とする、請求項９に記載の容器。
【請求項１１】
前記開封帯が、前記ミシン目線（１０）と前記蓋の縁部との間に画成される環状ストライプ（１１’）であり、前記蓋（６）が、前記カップの前記つば（５）内の前記ストライプ領域に剥がれるようにシールされ、引き剥がされるとき外れることを特徴とする、請求項９に記載の容器。
【請求項１２】
前記ミシン目線（１０）内のミシン目が、前記蓋（６）の前記板紙層（１５）を貫通しそのすぐ下にあるポリマー被覆（１６、１７）をそのままに残すことを特徴とする、請求項１０又は１１に記載の容器。
【請求項１３】
前記容器が、飲料、デザート又は菓子などの食料品用のポーション・パックであることを特徴とする、前記請求項のいずれかに記載の容器。
【国際調査報告】
2007530372.tif 000010
2007530372.tif 000011
2007530372.tif 000012